(57)【要約】【課題】本発明の解決しようとする課題は、ピロー包装袋において、簡単な構造によって、開口部を開いた状態に保持しておくことのできるピロー包装袋を提案するものである。【解決手段】基材層１１とシーラント層１２を有する１枚の積層体１０の上下両端部のシーラント層同士が対向して、合掌シール部２を形成し、該合掌シール部と直交する方向に左右サイドシール部３、４が形成されたピロー包装袋であって、前記合掌シール部に平行する開封予定線５を有し、開封予定線近傍のいずれか一方または両方のシーラント層面または最外層に、帯状の形状保持部材８が前記開封予定線に平行して溶着されていることを特徴とする包装袋である。【選択図】図１
2020011763.tif 000002
【特許請求の範囲】
【請求項１】
基材層とシーラント層を有する１枚の積層体の上下両端部のシーラント層同士が対向して、合掌シール部を形成し、該合掌シール部と直交する方向に左右サイドシール部が形成されたピロー包装袋であって、前記合掌シール部に平行する開封予定線を有し、開封予定線近傍のいずれか一方または両方のシーラント層面または最外層に、帯状の形状保持部材が前記開封予定線に平行して溶着されていることを特徴とする包装袋。
【請求項２】
前記開封予定線近傍の両方のシーラント層面に溶着された２つの形状保持部材が、当接しないように、ずれた位置に溶着されていることを特徴とする請求項１に記載の包装袋。
【請求項３】
前記合掌シール部を挟んで前記開封予定線と反対の位置に、積層体を折り曲げて形成されたガセット部を備えたことにより、自立性を有することを特徴とする請求項１または２に記載の包装袋。
【発明の詳細な説明】
【技術分野】
【０００１】
本発明は、包装袋に関し、特に開封後に開口部が開いた状態に保持されることにより、収納物を取り出し易い包装袋に関する。
【背景技術】
【０００２】
軟包装材料を製袋した包装袋は、さまざまな用途に使用されている。中でも１枚の連続したシートを丸めて合掌シール部を形成し、両端部をシールした、一般的にピロー包装袋と呼ばれる形式の包装袋は、最も広く用いられている（特許文献１参照）。
【０００３】
ピロー包装袋に例えばポテトチップスのような菓子類を収納した場合、開封口が開いた状態に保持されないため、内容物を取り出す際に手が汚れたり、内容物を取出し難いと感じる問題があった。中身が少なくなってきた時に、特に取り出し難くなるのは、誰しも経験するところである。
【０００４】
一方、カップ形状の容器であれば、取り出し性に関しては、包装袋に比較してはるかに優れているが、廃棄の際にかさばるという問題がある。
【先行技術文献】
【特許文献】
【０００５】
【特許文献１】特開平１０−２５０７６４号公報
【発明の概要】
【発明が解決しようとする課題】
【０００６】
本発明の解決しようとする課題は、ピロー包装袋において、簡単な構造によって、開口部を開いた状態に保持しておくことのできるピロー包装袋を提案するものである。
【課題を解決するための手段】
【０００７】
上記の課題を解決するための手段として、請求項１に記載の発明は、基材層とシーラント層を有する１枚の積層体の上下両端部のシーラント層同士が対向して、合掌シール部を形成し、該合掌シール部と直交する方向に左右サイドシール部が形成されたピロー包装袋であって、前記合掌シール部に平行する開封予定線を有し、開封予定線近傍のいずれか一方または両方のシーラント層面に、帯状の形状保持部材が前記開封予定線に平行して溶着されていることを特徴とする包装袋である。
【０００８】
本発明に係る包装袋は、開口部となる開封予定線近傍に帯状の形状保持部材を溶着したので、開口部を開いた状態に保持することができる。
【０００９】
また、請求項２に記載の発明は、前記開封予定線近傍の両方のシーラント層面に溶着された２つの形状保持部材が、当接しないように、ずれた位置に溶着されていることを特徴とする請求項１に記載の包装袋である。
【００１０】
また、請求項３に記載の発明は、前記合掌シール部を挟んで前記開封予定線と反対の位置に、積層体を折り曲げて形成されたガセット部を備えたことにより、自立性を有することを特徴とする請求項１または２に記載の包装袋である。
【発明の効果】
【００１１】
本発明に係る包装袋は、開口部となる開封予定線近傍に帯状の形状保持部材を溶着した
ので、開口部を開いた状態に保持することができ、内容物を取り出し易い。
【００１２】
形状保持部材は、合掌シール部と平行する方向に設けられるので、積層体の流れ方向に平行しており、積層体に連続的に溶着して取り付けることができる。このため、積層体の巻取りを自動充填包装機にそのまま適用することができる。
【００１３】
請求項２に記載の発明のように、開封予定線近傍の両方のシーラント層面に溶着された２つの形状保持部材が、当接しないように、ずれた位置に溶着されている場合には、未充填の包装袋の状態で、形状保持部材の部分が極端に厚くなることが緩和される。また、左右サイドシール部の熱シールがやり易くなる。
【００１４】
請求項３に記載の発明のように、合掌シール部を挟んで前記開封予定線と反対の位置に、積層体を折り曲げて形成されたガセット部を備えた場合には、包装袋の容量を大きくすることが出来ると伴に、包装袋に自立性が備わるので、さらに使い易い包装袋となる。
【図面の簡単な説明】
【００１５】
【図１】図１は、本発明に係る包装袋の一実施態様を模式的に示した平面説明図である。
【図２】図２は、図１のＡ−Ａ´断面を模式的に示した断面説明図である。
【図３】図３は、図１に示した包装袋を開封して、開口部を開いた状態を示した斜視図である。
【図４】図４（１）、（２）は、本発明に係る包装袋の他の実施態様を示した断面説明図である。
【図５】図５は、本発明に係る包装袋の他の実施態様を模式的に示した平面説明図である。
【図６】図６（１）は、図５のＢ−Ｂ´断面を模式的に示した断面説明図である。図６（２）、（３）は、本発明に係る包装袋の他の実施態様を示した断面説明図である。
【図７】図７は、図６（２）に示した包装袋を開封して、開口部を開いた状態を示した斜視図である。
【図８】図８は、本発明に係る包装袋に用いる積層体および形状保持部材の一例について、積層構造を模式的に示した断面説明図である。
【発明を実施するための形態】
【００１６】
以下、図面を参照しながら本発明に係る包装袋について詳細に説明する。図１は、本発明に係る包装袋の一実施態様を模式的に示した平面説明図である。図２は、図１のＡ−Ａ´断面を模式的に示した断面説明図である。図３は、図１に示した包装袋を開封して、開口部を開いた状態を示した斜視図である。また、図８は、本発明に係る包装袋に用いる積層体および形状保持部材の一例について、積層構造を模式的に示した断面説明図である。
【００１７】
本発明に係る包装袋１は、基材層１１とシーラント層１２を有する１枚の積層体１０の上下両端部のシーラント層同士が対向して、合掌シール部２を形成し、合掌シール部２と直交する方向に左右サイドシール部３、４が形成されたピロー包装袋であって、合掌シール部２に平行する開封予定線５を有し、開封予定線近傍のいずれか一方または両方のシーラント層面または最外層に、帯状の形状保持部材８が開封予定線５に平行して溶着されていることを特徴とする。
【００１８】
図１において、開封予定線５は、開封予定位置を示したものであり、実際には存在しない仮想的な線であっても良いし、実際に例えばハーフカットを施した線であっても良い。包装袋１は、サイドシール部３、４に施した開封開始部６をきっかけとして、水平方向に開封することができる。従って、開封予定線５は、開封後には開口部７となる。
【００１９】
開封予定線５の近傍のいずれか一方または両方のシーラント層面または最外層に、帯状の形状保持部材８が開封予定線５に平行して溶着されているので、開封後は、開口部７の近傍に形状保持部材８が溶着されていることになる。
【００２０】
形状保持部材８は、アルミニウムや軟鉄のような形状保持性を有する高分子材料で、例えば高密度ポリエチレン（ＨＤＰＥ）樹脂の分子を一軸方向に高度に配向させた超延伸テープなどが知られている。図８に示した例では、シーラント層に溶着し易いように、ＨＤＰＥの両面を直鎖低密度ポリエチレン（ＬＬＤＰＥ）樹脂で挟んだ構造のものを使用している。各層の厚さとしては、例えば、ＬＬＤＰＥ３０μｍ／ＨＤＰＥ４００μｍ／ＬＬＤＰＥ３０μｍである。
【００２１】
開口部７の近傍に形状保持部材８が溶着されているため、図３に示したように、開口部７を開口した状態に保持することができる。このため、内容物の取り出しが容易となり、手を汚すこともなくなる。
【００２２】
本発明に係る包装袋１は、形状的には一般に横ピロー袋と呼ばれる包装袋であるが、内容物を充填する段階では、縦ピロー袋として扱うこともできる。個々の包装袋に製袋した状態で内容物を充填しても良いし、自動製袋充填機において積層体の巻取りを連続的に繰り出して、製袋と同時に充填することも出来る。
【００２３】
本発明に係る包装袋１においては、積層体１０に、合掌シール部２と平行する方向に形状保持部材８を溶着したので、積層体１０を巻取りから連続的に供給することが可能である。
【００２４】
積層体１０は、少なくとも基材層１１とシーラント層１２を有するが、通常は図８に示したように、印刷による絵柄層１３や、これらを貼り合わせるための接着剤層１４が含まれている。
【００２５】
基材層１１としては、印刷時におけるテンションや熱風乾燥に耐える耐熱性を有し、ヒートシール時の熱にも耐える材料が選択される。具体的には、延伸ポリエチレンテレフタレート（ＰＥＴ）樹脂フィルムや、延伸ポリプロピレン（ＰＰ）樹脂フィルム、延伸ナイロン（ＯＮｙ）フィルム等が用いられる。
【００２６】
シーラント層１２の材質としては、ポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００２７】
基材層１１には、酸素や水蒸気の透過を抑制するガスバリア層を設けても良い。ガスバリア層は、基材層１１の裏面にアルミニウムや、無機酸化物を蒸着するかたちで設けても良いし、別にガスバリアフィルムとして１層加えても良い。ガスバリア層を加えることに
より、内容物の保存性を高めることができる。
【００２８】
ガスバリア層としては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレート（ＰＥＴ）フィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層、あるいはアルミニウム箔等の金属箔などを用いることができる。
【００２９】
形状保持部材８は、図２に示した例のように、積層体の合掌シール部２と反対側に溶着しても良いし、特に図示しないが、合掌シール部２と同じ側に設けても良い。また、図４に示したように、開口部７の両側に設けても良い。この時、図４（２）に示したように、２つの形状保持部材８が、当接しないように、ずれた位置に溶着されていると、サイドシール部のシールがやり易くなる他に、袋の状態で積み重ねた時に、形状保持部材の所だけ極端に厚くなることが回避できる。
【００３０】
図５は、本発明に係る包装袋１の他の実施態様を模式的に示した平面説明図である。この実施態様においては、合掌シール部２を挟んで開封予定線５と反対の位置に、積層体を折り曲げて形成されたガセット部９を備えたことにより、包装袋１が自立性を有することを特徴とする。
【００３１】
図６（１）は、図５のＢ−Ｂ´断面を模式的に示した断面説明図である。図６（２）、（３）は、本発明に係る包装袋の他の実施態様を示した断面説明図である。いずれも底面部にガセット部９を備えたものであり、このガセット部を開くことにより、包装袋１に自立性が与えられる。但し、本来のスタンディングパウチと異なり、底テープや、これに伴うボトムシール部が存在しないので、完全な自立性ではない。
【００３２】
しかし、スタンディングパウチと異なり、１枚の積層体の折曲げだけで形成されるため、充填工場において、製袋と同時に充填するような用途には適している。
【００３３】
この実施態様においても、開口部７における形状保持部材８の配置は、図６（１）のように、片側のみでも良いし、図６（２）のように、両側でも良い。また図６（３）のように、高さ位置をずらして配置しても良い。
【００３４】
図７は、図６（２）に示した包装袋１を開封して、開口部７を開いた状態を示した斜視図である。この例では、開口部７の両側に形状保持部材８が溶着されているため、開口保持性は、最大限に発揮される。
【００３５】
以下実施例および比較例に基いて、本発明に係る包装袋の優位性を検証した結果を示す。作成したそれぞれの包装袋に菓子を封入し、５名のパネリストによる評価を実施した。評価は５（良）〜１（悪）の５段階評価とした。
【実施例】
【００３６】
＜実施例１＞
基材層として厚さ１２μｍのＰＥＴフィルムを使用し、シーラント層として厚さ１００μｍのＬＬＤＰＥフィルムを使用した。両者をドライラミネートし、開口部近傍となる所定の位置の片側に形状保持テープを溶着した。形状保持テープは、ＬＬＤＰＥ３０μｍ／ＨＤＰＥ４００μｍ／ＬＬＤＰＥ３０μｍの構成である。この積層体を用いて、図５に示したような形状のガセット袋を作成した。袋の寸法は、幅１７０ｍｍ、高さ１３０ｍｍである。
【００３７】
＜実施例２＞
形状保持テープを開口部近傍の両側に溶着した以外は、実施例１と同様にガセット袋を作成した。
【００３８】
＜比較例１＞
形状保持テープを溶着しなかった以外は、実施例１と同様にガセット袋を作成した。
評価結果を表１に示す。
【００３９】
【表１】
2020011763.tif 000003
【００４０】
表１の結果から、本発明に係る包装袋が使い易さにおいて優れていることが分かる。
【符号の説明】
【００４１】
１・・・包装袋
２・・・合掌シール部
３・・・サイドシール部
４・・・サイドシール部
５・・・開封予定線
６・・・開封開始部
７・・・開口部
８・・・形状保持部材
９・・・ガセット部
１０・・・積層体
１１・・・基材層
１２・・・シーラント層
１３・・・絵柄層
１４・・・接着剤層
１５・・・ＬＬＤＰＥ
１６・・・ＨＤＰＥ
【図１】
2020011763.tif 000004
【図２】
2020011763.tif 000005
【図３】
2020011763.tif 000006
【図４】
2020011763.tif 000007
【図５】
2020011763.tif 000008
【図６】
2020011763.tif 000009
【図７】
2020011763.tif 000010
【図８】
2020011763.tif 000011